(57)【要約】【課題】適切にＣＳＦＢ機能を用いたＣＳ呼の発信を規制する。【解決手段】本発明に係る移動局ＵＥは、Ｅ-ＵＴＲＡＮにおいて、ＳＩＢ２を受信するように構成されている報知情報受信部２１と、ＳＩＢ２に含まれている情報要素に基づいて、Ｅ-ＵＴＲＡＮにおける所定の規制処理を行うように構成されている規制処理部２２とを具備しており、規制処理部２２は、上述の情報要素のうち、「ａｃ-ＢａｒｒｉｎｇＦｏｒＣＳＦＢ-ｒ１０」及び「ａｃ-ＢａｒｒｉｎｇＦｏｒＭＯ-Ｄａｔａ」に基づいて、ＣＳＦＢ機能を用いたＣＳ呼の発信に対する規制処理を行うように構成されている。【選択図】図６
2012004683.tif 000002
【特許請求の範囲】
【請求項１】
回線交換切り替え機能を用いて、パケット交換をサポートしており回線交換をサポートしていない第１無線アクセスネットワークに在圏している場合に、パケット交換及び回線交換をサポートしている第２無線アクセスネットワークを介して回線交換通信を行うことができるように構成されている移動局であって、
前記第１無線アクセスネットワークにおいて、報知情報を受信するように構成されている報知情報受信部と、
前記報知情報に含まれている情報要素に基づいて、前記第１無線アクセスネットワークにおける所定の規制処理を行うように構成されている規制処理部とを具備しており、
前記規制処理部は、前記情報要素のうち、前記回線交換切り替え機能を用いた回線交換呼の発信に対する規制用の第１情報要素及び通常のパケット交換呼の発信に対する規制用の第２情報要素に基づいて、前記回線交換切り替え機能を用いた回線交換呼の発信に対する規制処理を行うように構成されていることを特徴とする移動局。
【請求項２】
前記規制処理部は、前記報知情報に、前記第１情報要素が含まれている場合、該第１情報要素に基づいて、前記回線交換切り替え機能を用いた回線交換呼の発信に対する規制処理を行うように構成されており、
前記規制処理部は、前記報知情報に、前記第１情報要素が含まれておらず、前記第２情報要素が含まれている場合、該第２情報要素に基づいて、前記回線交換切り替え機能を用いた回線交換呼の発信に対する規制処理を行うように構成されていることを特徴とする請求項１に記載の移動局。
【請求項３】
前記規制処理部は、前記第１情報要素に「ｂａｒｒｉｎｇ」が設定されていた場合、前記回線交換切り替え機能を用いた回線交換呼の発信を規制するように構成されており、
前記規制処理部は、前記第１情報要素に「ｎｏ-Ｂａｒｒｉｎｇ」が設定されていた場合、或いは、前記第１情報要素に何も設定されていない場合、前記回線交換切り替え機能を用いた回線交換呼の発信を規制しないように構成されていることを特徴とする請求項１に記載の移動局。
【請求項４】
パケット交換をサポートしており回線交換をサポートしていない第１無線アクセスネットワークに在圏している移動局が、回線交換切り替え機能を用いて、パケット交換及び回線交換をサポートしている第２無線アクセスネットワークを介して回線交換通信を行うことができるように構成されている移動通信システムにおいて、該第１無線アクセスネットワーク内に設けられている無線基地局であって、
報知情報を送信するように構成されている報知情報送信部を具備しており、
前記報知情報送信部は、第１リリースに対応可能な移動局によって受信可能な情報要素として、緊急呼の発信に対する規制用の情報要素、シグナリング呼の発信に対する規制用の情報要素及び通常のパケット交換呼の発信に対する規制用の情報要素を、前記報知情報に含めるように構成されており、
前記報知情報送信部は、前記第１リリースよりも新しい第２リリースに対応可能な移動局によって受信可能な情報要素として、前記回線交換切り替え機能を用いた回線交換呼に対する規制用の情報要素を、前記報知情報に含めるように構成されていることを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）のＲｅｌｅａｓｅ-８/９方式では、無線基地局ｅＮＢは、ＳＩＢ（Ｓｙｓｔｅｍ  Ｉｎｆｏｒｍａｔｉｏｎ  Ｂｌｏｃｋ）２によって、「ａｃ-ＢａｒｒｉｎｇＦｏｒＥｍｅｒｇｅｎｃｙ」、「ａｃ-ＢａｒｒｉｎｇＦｏｒＭＯ-Ｓｉｇｎａｌｌｉｎｇ」及び「ａｃ-ＢａｒｒｉｎｇＦｏｒＭＯ-Ｄａｔａ」を送信することによって、緊急呼の発信、シグナリング呼の発信及び通常のパケット交換（ＰＳ：Ｐａｃｋｅｔ  Ｓｗｉｔｃｈｉｎｇ）呼の発信を規制するように構成されている。
【先行技術文献】
【非特許文献】
【０００３】
【非特許文献１】ＴＳ  ３６．３３１  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ;Ｅｖｏｌｖｅｄ  Ｕｎｉｖｅｒｓａｌ  Ｔｅｒｒｅｓｔｒｉａｌ  Ｒａｄｉｏ Ａｃｃｅｓｓ  （Ｅ-ＵＴＲＡ)  Ｒａｄｉｏ  Ｒｅｓｏｕｒｃｅ   Ｃｏｎｔｒｏｌ  （ＲＲＣ）；Ｐｒｏｔｏｃｏｌ  ｓｐｅｃｉｆｉｃａｔｉｏｎ
【発明の概要】
【発明が解決しようとする課題】
【０００４】
しかしながら、ＬＴＥのＲｅｌｅａｓｅ-８/９方式では、ＣＳＦＢ（Ｃｉｒｃｕｉｔ  Ｓｗｉｔｃｈｉｎｇ  Ｆａｌｌｂａｃｋ）機能を用いた回線交換（ＣＳ：Ｃｉｒｃｕｉｔ  Ｓｗｉｔｃｈｉｎｇ）呼の発信を規制することができないという問題点があった。
【０００５】
具体的には、ＣＳＦＢ機能を用いたＣＳ呼の発信は、通常のＰＳ呼の発信と同様に、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介して行われるにも関わらず、ＰＳドメインではなく、ＣＳドメインとして分類されているため、特定のセルにおいて、ＳＳＡＣ（Ｓｅｒｖｉｃｅ  Ｓｐｅｃｉｆｉｃ  Ａｃｃｅｓｓ  Ｃｏｎｔｒｏｌ）が適用されている場合であっても、移動局ＵＥは、ＣＳＦＢ機能を用いたＣＳ呼を発信することができてしまう。
【０００６】
そこで、本発明は、上述の課題に鑑みてなされたものであり、適切にＣＳＦＢ機能を用いたＣＳ呼の発信を規制することができる移動局及び無線基地局を提供することを目的とする。
【課題を解決するための手段】
【０００７】
本発明の第１の特徴は、回線交換切り替え機能を用いて、パケット交換をサポートしており回線交換をサポートしていない第１無線アクセスネットワークに在圏している場合に、パケット交換及び回線交換をサポートしている第２無線アクセスネットワークを介して回線交換通信を行うことができるように構成されている移動局であって、前記第１無線アクセスネットワークにおいて、報知情報を受信するように構成されている報知情報受信部と、前記報知情報に含まれている情報要素に基づいて、前記第１無線アクセスネットワークにおける所定の規制処理を行うように構成されている規制処理部とを具備しており、前記規制処理部は、前記情報要素のうち、前記回線交換切り替え機能を用いた回線交換呼の発信に対する規制用の第１情報要素及び通常のパケット交換呼の発信に対する規制用の第２情報要素に基づいて、前記回線交換切り替え機能を用いた回線交換呼の発信に対する規制処理を行うように構成されていることを要旨とする。
【０００８】
本発明の第２の特徴は、パケット交換をサポートしており回線交換をサポートしていない第１無線アクセスネットワークに在圏している移動局が、回線交換切り替え機能を用いて、パケット交換及び回線交換をサポートしている第２無線アクセスネットワークを介して回線交換通信を行うことができるように構成されている移動通信システムにおいて、該第１無線アクセスネットワーク内に設けられている無線基地局であって、報知情報を送信するように構成されている報知情報送信部を具備しており、前記報知情報送信部は、第１リリースに対応可能な移動局によって受信可能な情報要素として、緊急呼の発信に対する規制用の情報要素、シグナリング呼の発信に対する規制用の情報要素及び通常のパケット交換呼の発信に対する規制用の情報要素を、前記報知情報に含めるように構成されており、前記報知情報送信部は、前記第１リリースよりも新しい第２リリースに対応可能な移動局によって受信可能な情報要素として、前記回線交換切り替え機能を用いた回線交換呼に対する規制用の情報要素を、前記報知情報に含めるように構成されていることを要旨とする。
【発明の効果】
【０００９】
以上説明したように、本発明によれば、適切にＣＳＦＢ機能を用いたＣＳ呼の発信を規制することができる移動局及び無線基地局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで送信されるＳＩＢ２のフォーマット例を示す図である。
【図４】本発明の第１の実施形態に係る移動通信システムで送信されるＳＩＢ２のフォーマット例を示す図である。
【図５】本発明の第１の実施形態に係る移動局の機能ブロック図である。
【図６】本発明の第１の実施形態に係る移動局の動作を説明するフローチャートである。
【発明を実施するための形態】
【００１１】
（本発明の第１の実施形態に係る移動通信システム）
図１乃至図６を参照して、本発明の第１の実施形態に係る移動通信システムについて説明する。
【００１２】
本実施形態に係る移動通信システムには、ＬＴＥのＲｅｌｅａｓｅ-８/９方式（第１リリース）に加えて、ＬＴＥのＲｅｌｅａｓｅ-１０方式（第２リリース）に対応可能な無線基地局ｅＮＢが設けられている。
【００１３】
図１の例では、無線基地局ｅＮＢが、配下のセル＃１において、報知情報を送信し、セル＃１に在圏している移動局ＵＥが、かかる報知情報を受信するように構成されている。
【００１４】
図２に示すように、無線基地局ｅＮＢは、規制処理部１１と、報知情報送信部１２とを具備している。
【００１５】
規制処理部１１は、無線基地局ｅＮＢ配下のセルにおける規制処理を行うように構成されている。
【００１６】
具体的には、規制処理部１１は、オペレータによって指示された場合や、所定条件が満たされた場合等に、無線基地局ｅＮＢ配下のセルにおいて、緊急呼の発信や、シグナリング呼の発信や、通常のＰＳ呼の発信や、ＣＳＦＢ機能を用いたＣＳ呼の発信等を規制するように構成されている。
【００１７】
報知情報送信部１２は、無線基地局ｅＮＢ配下のセルにおいて、ＭＩＢ（Ｍａｓｉｔｅｒ  Ｉｎｆｏｒｍａｔｉｏｎ  Ｂｌｏｃｋ）やＳＩＢ等の報知情報を送信するように構成されている。
【００１８】
図３に、かかる報知情報の一種であるＳＩＢ２に含まれる情報要素の一例を示す。
【００１９】
図３に示すように、報知情報送信部１２は、規制処理部１１からの指示に応じて、ＬＴＥのＲｅｌｅａｓｅ-８/９方式に対応可能な移動局ＵＥによって受信可能な情報要素として、「ａｃ-ＢａｒｒｉｎｇＦｏｒＥｍｅｒｇｅｎｃｙ」、「ａｃ-ＢａｒｒｉｎｇＦｏｒＭＯ-Ｓｉｇｎａｌｌｉｎｇ」及び「ａｃ-ＢａｒｒｉｎｇＦｏｒＭＯ-Ｄａｔａ」を、ＳＩＢ２に含めることができるように構成されている。
【００２０】
ここで、「ａｃ-ＢａｒｒｉｎｇＦｏｒＥｍｅｒｇｅｎｃｙ」は、緊急呼の発信に対する規制用の情報要素であり、「ａｃ-ＢａｒｒｉｎｇＦｏｒＭＯ-Ｓｉｇｎａｌｌｉｎｇ」は、シグナリング呼の発信に対する規制用の情報要素であり、「ａｃ-ＢａｒｒｉｎｇＦｏｒＭＯ-Ｄａｔａ」は、通常のＰＳ呼の発信に対する規制用の情報要素である。
【００２１】
なお、図３に示すように、「ａｃ-ＢａｒｒｉｎｇＦｏｒＭＯ-Ｓｉｇｎａｌｌｉｎｇ」及び「ａｃ-ＢａｒｒｉｎｇＦｏｒＭＯ-Ｄａｔａ」には、「ＡＣ-ＢａｒｒｉｎｇＣｏｎｆｉｇ」が設定可能であり、「ＡＣ-ＢａｒｒｉｎｇＣｏｎｆｉｇ」には、「ａｃ-ＢａｒｒｉｎｇＦａｃｔｏｒ」や「ａｃ-ＢａｒｒｉｎｇＴｉｍｅ」や「ａｃ-ＢａｒｒｉｎｇＦｏｒＳｐｅｃｉａｌＡＣ」が設定可能である。
【００２２】
「ａｃ-ＢａｒｒｉｎｇＦａｃｔｏｒ」には、０以上１未満の値が設定可能であり、「ａｃ-ＢａｒｒｉｎｇＴｉｍｅ」には、秒単位の平均アクセス規制時間が設定可能であり、「ａｃ-ＢａｒｒｉｎｇＦｏｒＳｐｅｃｉａｌＡＣ」には、ＡＣ（Ａｃｃｅｓｓ  Ｃｌａｓｓ、アクセスクラス）１１〜１５に対するアクセス規制の有無を示す情報が設定可能である。
【００２３】
また、報知情報送信部１２は、ＬＴＥのＲｅｌｅａｓｅ-１０方式に対応可能な移動局ＵＥによって受信可能な情報要素として、「ａｃ-ＢａｒｒｉｎｇＦｏｒＣＳＦＢ-ｒ１０」を、ＳＩＢ２に含めることができるように構成されている。
【００２４】
ここで、「ａｃ-ＢａｒｒｉｎｇＦｏｒＣＳＦＢ-ｒ１０」は、ＣＳＦＢ機能を用いたＣＳ呼に対する規制用の情報要素である。
【００２５】
なお、図３に示すように、「ａｃ-ＢａｒｒｉｎｇＦｏｒＣＳＦＢ-ｒ１０」には、「ＡＣ-ＢａｒｒｉｎｇＦｏｒＣＳＦＢ-ｒ１０」が設定可能であり、「ＡＣ-ＢａｒｒｉｎｇＦｏｒＣＳＦＢ-ｒ１０」には、「ＡＣ-ＢａｒｒｉｎｇＣｏｎｆｉｇ」を設定可能な「ｂａｒｒｉｎｇ」或いは何も設定されない「ｎｏ-ｂａｒｒｉｎｇ」のどちらかが設定可能である。
【００２６】
或いは、図４に示すように、「ＡＣ-ＢａｒｒｉｎｇＦｏｒＣＳＦＢ-ｒ１０」には、上述の「ｂａｒｒｉｎｇ」のみが設定可能であってもよい。
【００２７】
図５に示すように、移動局ＵＥは、報知情報受信部２１と、規制処理部２２とを具備している。
【００２８】
かかる移動局ＵＥは、ＬＴＥのＲｅｌｅａｓｅ-１０方式に対応可能であり、ＣＳＦＢ機能を用いて、Ｅ-ＵＴＲＡＮに在圏している場合に、ＵＴＲＡＮ/ＧＥＲＡＮを介してＣＳ通信を行うことができるように構成されている。
【００２９】
報知情報受信部２１は、Ｅ-ＵＴＲＡＮにおいて、ＭＩＢやＳＩＢ等の報知情報を受信するように構成されている。
【００３０】
規制処理部２２は、報知情報受信部２１によって受信されたＳＩＢ２に含まれている規制用の情報要素に基づいて、Ｅ-ＵＴＲＡＮにおける所定の規制処理を行うように構成されている。
【００３１】
例えば、規制処理部２２は、上述の情報要素のうち、「ａｃ-ＢａｒｒｉｎｇＦｏｒＣＳＦＢ-ｒ１０」及び「ａｃ-ＢａｒｒｉｎｇＦｏｒＭＯ-Ｄａｔａ」に基づいて、ＣＳＦＢ機能を用いたＣＳ呼の発信に対する規制処理を行うように構成されている。
【００３２】
ここで、規制処理部２２は、ＳＩＢ２に、「ａｃ-ＢａｒｒｉｎｇＦｏｒＣＳＦＢ-ｒ１０」が含まれている場合、「ａｃ-ＢａｒｒｉｎｇＦｏｒＣＳＦＢ-ｒ１０」に基づいて、ＣＳＦＢ機能を用いたＣＳ呼の発信に対する規制処理を行うように構成されており、ＳＩＢ２に、「ａｃ-ＢａｒｒｉｎｇＦｏｒＣＳＦＢ-ｒ１０」が含まれておらず、「ａｃ-ＢａｒｒｉｎｇＦｏｒＭＯ-Ｄａｔａ」が含まれている場合、「ａｃ-ＢａｒｒｉｎｇＦｏｒＭＯ-Ｄａｔａ」に基づいて、ＣＳＦＢ機能を用いたＣＳ呼の発信に対する規制処理を行うように構成されていてもよい。
【００３３】
なお、ＬＴＥのＲｅｌｅａｓｅ-１０方式に対応可能でない移動局ＵＥは、ＳＩＢ２に含まれている「ａｃ-ＢａｒｒｉｎｇＦｏｒＣＳＦＢ-ｒ１０」を受信しても理解することができないため、ＣＳＦＢ機能を用いたＣＳ呼の発信に対する規制処理を行うことはできないが、ＳＩＢ２に含まれている「ａｃ-ＢａｒｒｉｎｇＦｏｒＥｍｅｒｇｅｎｃｙ」、「ａｃ-ＢａｒｒｉｎｇＦｏｒＭＯ-Ｓｉｇｎａｌｌｉｎｇ」及び「ａｃ-ＢａｒｒｉｎｇＦｏｒＭＯ-Ｄａｔａ」については受信することができるので、従来通り、緊急呼の発信、シグナリング呼の発信及び通常のＰＳ呼の発信に対する規制処理を行うことができる。
【００３４】
以下、図６を参照して、本発明の第１の実施形態に係る移動局ＵＥ、すなわち、ＬＴＥのＲｅｌｅａｓｅ-１０方式に対応可能である移動局ＵＥの動作の一例について説明する。
【００３５】
図６に示すように、移動局ＵＥのＡＳ（Ａｃｃｅｓｓ  Ｓｔｒａｔｕｍ）機能は、ステップＳ１０１において、ＮＡＳ（Ｎｏｎ  Ａｃｃｅｓｓ  Ｓｔｒａｔｕｍ）機能からの発信要求を受信すると、ステップＳ１０２において、かかる発信要求が、着信信号（ページング信号）をトリガにする発信要求であるか否かについて判定する。
【００３６】
ステップＳ１０２において、「Ｙｅｓ」であると判定された場合、本動作は、ステップＳ１０３に進み、「Ｎｏ」であると判定された場合、本動作は、ステップＳ１０６に進む。
【００３７】
ステップＳ１０３において、移動局ＵＥのＡＳ機能は、タイマＴ３０２が起動中であるか否かについて判定する。
【００３８】
ここで、タイマＴ３０２は、無線基地局ｅＮＢからの「ＲＲＣ  Ｃｏｎｎｅｃｔｉｏｎ  Ｒｅｊｅｃｔ」によって通知された値に基づいて設定される。
【００３９】
ステップＳ１０３において、「Ｙｅｓ」であると判定された場合、本動作は、ステップＳ１０５に進み、「Ｎｏ」であると判定された場合、本動作は、ステップＳ１０４に進む。
【００４０】
ステップＳ１０４において、移動局ＵＥのＡＳ機能は、着信信号をトリガにする発信を規制しないと判定し、ステップＳ１０５において、移動局ＵＥのＡＳ機能は、着信信号をトリガにする発信を規制すると判定する。
【００４１】
ステップＳ１０６において、移動局ＵＥのＡＳ機能は、ＮＡＳ機能からの発信要求が、緊急呼の発信要求であるか否かについて判定する。
【００４２】
ステップＳ１０６において、「Ｙｅｓ」であると判定された場合、本動作は、ステップＳ１０７に進み、「Ｎｏ」であると判定された場合、本動作は、ステップＳ１１２に進む。
【００４３】
ステップＳ１０７において、移動局ＵＥのＡＳ機能は、ＳＩＢ２に含まれる「ａｃ-ＢａｒｒｉｎｇＦｏｒＥｍｅｒｇｅｎｃｙ」に、緊急呼の発信を規制するべきであると設定されているか否かについて判定する。
【００４４】
ステップＳ１０７において、「Ｙｅｓ」であると判定された場合、本動作は、ステップＳ１０８に進み、「Ｎｏ」であると判定された場合、本動作は、ステップＳ１１０に進む。
【００４５】
ステップＳ１０８において、移動局ＵＥのＡＳ機能は、移動局ＵＥのアクセスクラスが、「ＡＣ１１」〜「ＡＣ１５」のいずれかに該当するか否かについて判定する。
【００４６】
ステップＳ１０８において、「Ｙｅｓ」であると判定された場合、本動作は、ステップＳ１０９に進み、「Ｎｏ」であると判定された場合、本動作は、ステップＳ１１１に進む。
【００４７】
ステップＳ１０９において、移動局ＵＥのＡＳ機能は、「ａｃ-ＢａｒｒｉｎｇＦｏｒＥｍｅｒｇｅｎｃｙ」を参照して、移動局ＵＥが対応するアクセスクラス（ＡＣ１１〜ＡＣ１５）の全てに対してアクセスが許可されていないか否かについて判定する。
【００４８】
ステップＳ１０９において、「Ｙｅｓ」であると判定された場合、本動作は、ステップＳ１１１に進み、「Ｎｏ」であると判定された場合、本動作は、ステップＳ１１０に進む。
【００４９】
移動局ＵＥのＡＳ機能は、ステップＳ１１０において、緊急呼の発信を規制しないと判定し、ステップＳ１１１において、移動局ＵＥのＡＳ機能は、緊急呼の発信を規制すると判定する。
【００５０】
ステップＳ１１２において、移動局ＵＥのＡＳ機能は、ＮＡＳ機能からの発信要求が、通常のＰＳ呼の発信要求であるか否かについて判定する。
【００５１】
ステップＳ１１２において、「Ｙｅｓ」であると判定された場合、本動作は、ステップＳ１１３に進み、「Ｎｏ」であると判定された場合、本動作は、ステップＳ１２１に進む。
【００５２】
ステップＳ１１３において、移動局ＵＥのＡＳ機能は、タイマＴ３０２又はＴ３０３が起動中であるか否かについて判定する。
【００５３】
ステップＳ１１３において、「Ｙｅｓ」であると判定された場合、本動作は、ステップＳ１２０に進み、「Ｎｏ」であると判定された場合、本動作は、ステップＳ１１４に進む。
【００５４】
ステップＳ１１４において、移動局ＵＥのＡＳ機能は、ＳＩＢ２に含まれる「ａｃ-ＢａｒｒｉｎｇＦｏｒＭＯ-Ｄａｔａ」が設定されているか否かについて判定する。
【００５５】
ステップＳ１１４において、「Ｙｅｓ」であると判定された場合、本動作は、ステップＳ１１５に進み、「Ｎｏ」であると判定された場合、本動作は、ステップＳ１１９に進む。
【００５６】
ステップＳ１１５において、移動局ＵＥのＡＳ機能は、移動局ＵＥのアクセスクラスが、「ＡＣ１１」〜「ＡＣ１５」のいずれかに該当するか否かについて判定する。
【００５７】
ステップＳ１１５において、「Ｙｅｓ」であると判定された場合、本動作は、ステップＳ１１６に進み、「Ｎｏ」であると判定された場合、本動作は、ステップＳ１１７に進む。
【００５８】
ステップＳ１１６において、移動局ＵＥのＡＳ機能は、「ａｃ-ＢａｒｒｉｎｇＦｏｒＭＯ-Ｄａｔａ」内の「ａｃ-ＢａｒｒｉｎｇＦｏｒＳｐｅｃｉａｌＡＣ」を参照して、移動局ＵＥが対応するアクセスクラス（ＡＣ１１〜ＡＣ１５のいずれか）に対してアクセスが許可されているか否かについて判定する。
【００５９】
ステップＳ１１６において、「Ｎｏ」であると判定された場合、本動作は、ステップＳ１１７に進み、「Ｙｅｓ」であると判定された場合、本動作は、ステップＳ１１９に進む。
【００６０】
ステップＳ１１７において、移動局ＵＥのＡＳ機能は、移動局ＵＥにおいて生成された乱数ｒａｎｄが、「ａｃ-ＢａｒｒｉｎｇＦｏｒＭＯ-Ｄａｔａ」内の「ａｃ-ＢａｒｒｉｎｇＦａｃｔｏｒ」に設定されている値ＡＢＦ１よりも小さいか否かについて判定する。
【００６１】
ステップＳ１１７において、「Ｙｅｓ」であると判定された場合、本動作は、ステップＳ１１９に進み、「Ｎｏ」であると判定された場合、本動作は、ステップＳ１１８に進む。
【００６２】
ステップＳ１１８において、移動局ＵＥのＡＳ機能は、タイマＴ３０３を起動する。例えば、移動局ＵＥのＡＳ機能は、「（０.７＋０.６×ｒａｎｄ）×（「ａｃ-ＢａｒｒｉｎｇＦｏｒＭＯ-Ｄａｔａ」内の「ａｃ-ＢａｒｒｉｎｇＴｉｍｅ」に設定されている値）」によって算出される値を、タイマＴ３０３に設定する。
【００６３】
移動局ＵＥのＡＳ機能は、ステップＳ１１９において、通常のＰＳ呼の発信を規制しないと判定し、ステップＳ１２０において、移動局ＵＥのＡＳ機能は、通常のＰＳ呼の発信を規制すると判定する。
【００６４】
ステップＳ１２１において、移動局ＵＥのＡＳ機能は、ＮＡＳ機能からの発信要求が、シグナリング呼の発信要求であるか否かについて判定する。
【００６５】
ステップＳ１２１において、「Ｙｅｓ」であると判定された場合、本動作は、ステップＳ１２２に進み、「Ｎｏ」であると判定された場合、本動作は、ステップＳ１３０に進む。
【００６６】
ステップＳ１２２において、移動局ＵＥのＡＳ機能は、タイマＴ３０２又はＴ３０３が起動中であるか否かについて判定する。
【００６７】
ステップＳ１２２において、「Ｙｅｓ」であると判定された場合、本動作は、ステップＳ１２９に進み、「Ｎｏ」であると判定された場合、本動作は、ステップＳ１２３に進む。
【００６８】
ステップＳ１２３において、移動局ＵＥのＡＳ機能は、ＳＩＢ２に含まれる「ａｃ-ＢａｒｒｉｎｇＦｏｒＭＯ-Ｓｉｇｎａｌｌｉｎｇ」が設定されているか否かについて判定する。
【００６９】
ステップＳ１２３において、「Ｙｅｓ」であると判定された場合、本動作は、ステップＳ１２４に進み、「Ｎｏ」であると判定された場合、本動作は、ステップＳ１２８に進む。
【００７０】
ステップＳ１２４において、移動局ＵＥのＡＳ機能は、移動局ＵＥのアクセスクラスが、「ＡＣ１１」〜「ＡＣ１５」のいずれかに該当するか否かについて判定する。
【００７１】
ステップＳ１２４において、「Ｙｅｓ」であると判定された場合、本動作は、ステップＳ１２５に進み、「Ｎｏ」であると判定された場合、本動作は、ステップＳ１２６に進む。
【００７２】
ステップＳ１２５において、移動局ＵＥのＡＳ機能は、「ａｃ-ＢａｒｒｉｎｇＦｏｒＭＯ-Ｓｉｇｎａｌｌｉｎｇ」内の「ａｃ-ＢａｒｒｉｎｇＦｏｒＳｐｅｃｉａｌＡＣ」を参照して、移動局ＵＥが対応しているのアクセスクラス（ＡＣ１１〜ＡＣ１５のいずれか）に対してアクセスが許可されているか否かについて判定する。
【００７３】
ステップＳ１２５において、「Ｎｏ」であると判定された場合、本動作は、ステップＳ１２６に進み、「Ｙｅｓ」であると判定された場合、本動作は、ステップＳ１２８に進む。
【００７４】
ステップＳ１２６において、移動局ＵＥのＡＳ機能は、移動局ＵＥにおいて生成された乱数ｒａｎｄが、「ａｃ-ＢａｒｒｉｎｇＦｏｒＭＯ-Ｓｉｇｎａｌｌｉｎｇ」内の「ａｃ-ＢａｒｒｉｎｇＦａｃｔｏｒ」に設定されている値ＡＢＦ２よりも小さいか否かについて判定する。
【００７５】
ステップＳ１２６において、「Ｙｅｓ」であると判定された場合、本動作は、ステップＳ１２８に進み、「Ｎｏ」であると判定された場合、本動作は、ステップＳ１２７に進む。
【００７６】
ステップＳ１２７において、移動局ＵＥのＡＳ機能は、タイマＴ３０５を起動する。例えば、移動局ＵＥのＡＳ機能は、「（０.７＋０.６×ｒａｎｄ）×（「ａｃ-ＢａｒｒｉｎｇＦｏｒＭＯ-Ｓｉｇｎａｌｌｉｎｇ」内の「ａｃ-ＢａｒｒｉｎｇＴｉｍｅ」に設定されている値）」によって算出される値を、タイマＴ３０５に設定する。
【００７７】
移動局ＵＥのＡＳ機能は、ステップＳ１２８において、シグナリング呼の発信を規制しないと判定し、ステップＳ１２９において、移動局ＵＥのＡＳ機能は、シグナリング呼の発信を規制すると判定する。
【００７８】
ステップＳ１３０において、移動局ＵＥのＡＳ機能は、タイマＴ３０２又はＴ３０６が起動中であるか否かについて判定する。
【００７９】
ステップＳ１３０において、「Ｙｅｓ」であると判定された場合、本動作は、ステップＳ１３８に進み、「Ｎｏ」であると判定された場合、本動作は、ステップＳ１３１に進む。
【００８０】
ステップＳ１３１において、移動局ＵＥのＡＳ機能は、ＳＩＢ２に含まれる「ａｃ-ＢａｒｒｉｎｇＦｏｒＣＳＦＢ-ｒ１０」が設定されているか否かについて判定する。
【００８１】
ステップＳ１３１において、「Ｙｅｓ」であると判定された場合、本動作は、ステップＳ１３２に進み、「Ｎｏ」であると判定された場合、本動作は、ステップＳ１３９に進む。
【００８２】
ステップＳ１３２において、移動局ＵＥのＡＳ機能は、ＳＩＢ２に含まれる「ａｃ-ＢａｒｒｉｎｇＦｏｒＣＳＦＢ-ｒ１０」内の「ＡＣ-ＢａｒｒｉｎｇＦｏｒＣＳＦＢ-ｒ１０」に、「ｂａｒｒｉｎｇ」が設定されているか否かについて判定する。
【００８３】
例えば、ステップＳ１３２において、「ａｃ-ＢａｒｒｉｎｇＦｏｒＣＳＦＢ-ｒ１０」内の「ＡＣ-ＢａｒｒｉｎｇＦｏｒＣＳＦＢ-ｒ１０」に、「ｂａｒｒｉｎｇ」が設定されていると判定された場合、本動作は、ステップＳ１３３に進み、「ａｃ-ＢａｒｒｉｎｇＦｏｒＣＳＦＢ-ｒ１０」内の「ＡＣ-ＢａｒｒｉｎｇＦｏｒＣＳＦＢ-ｒ１０」に、「ｎｏ  ｂａｒｒｉｎｇ」が設定されていると判定された場合、本動作は、ステップＳ１３７に進む。
【００８４】
或いは、ステップＳ１３２において、「ａｃ-ＢａｒｒｉｎｇＦｏｒＣＳＦＢ-ｒ１０」内の「ＡＣ-ＢａｒｒｉｎｇＦｏｒＣＳＦＢ-ｒ１０」に、「ｂａｒｒｉｎｇ」が設定されていると判定された場合、本動作は、ステップＳ１３３に進み、「ａｃ-ＢａｒｒｉｎｇＦｏｒＣＳＦＢ-ｒ１０」内の「ＡＣ-ＢａｒｒｉｎｇＦｏｒＣＳＦＢ-ｒ１０」に、何も設定されていない場合、本動作は、ステップＳ１３７に進む。
【００８５】
ステップＳ１３３において、移動局ＵＥのＡＳ機能は、移動局ＵＥのアクセスクラスが、「ＡＣ１１」〜「ＡＣ１５」のいずれかに該当するか否かについて判定する。
【００８６】
ステップＳ１３３において、「Ｙｅｓ」であると判定された場合、本動作は、ステップＳ１３４に進み、「Ｎｏ」であると判定された場合、本動作は、ステップＳ１３５に進む。
【００８７】
ステップＳ１３４において、移動局ＵＥのＡＳ機能は、「ａｃ-ＢａｒｒｉｎｇＦｏｒＭＯ-Ｓｉｇｎａｌｌｉｎｇ」内の「ａｃ-ＢａｒｒｉｎｇＦｏｒＣＳＦＢ-ｒ１０」を参照して、移動局ＵＥが対応しているアクセスクラス（ＡＣ１１〜ＡＣ１５のいずれか）に対してアクセスが許可されているか否かについて判定する。
【００８８】
ステップＳ１３４において、「Ｎｏ」であると判定された場合、本動作は、ステップＳ１３７に進み、「Ｙｅｓ」であると判定された場合、本動作は、ステップＳ１３５に進む。
【００８９】
ステップＳ１３５において、移動局ＵＥのＡＳ機能は、移動局ＵＥにおいて生成された乱数ｒａｎｄが、「ａｃ-ＢａｒｒｉｎｇＦｏｒＣＳＦＢ-ｒ１０」内の「ａｃ-ＢａｒｒｉｎｇＦａｃｔｏｒ」に設定されている値ＡＢＦ３よりも小さいか否かについて判定する。
【００９０】
ステップＳ１３５において、「Ｙｅｓ」であると判定された場合、本動作は、ステップＳ１３７に進み、「Ｎｏ」であると判定された場合、本動作は、ステップＳ１３６に進む。
【００９１】
ステップＳ１３６において、移動局ＵＥのＡＳ機能は、タイマＴ３０６を起動する。例えば、移動局ＵＥのＡＳ機能は、「（０.７＋０.６×ｒａｎｄ）×（「ａｃ-ＢａｒｒｉｎｇＦｏｒＣＳＦＢ-ｒ１０」内の「ａｃ-ＢａｒｒｉｎｇＴｉｍｅ」に設定されている値）」によって算出される値を、タイマＴ３０６に設定する。
【００９２】
移動局ＵＥのＡＳ機能は、ステップＳ１３７において、ＣＳＦＢ機能を用いたＣＳ呼の発信を規制しないと判定し、ステップＳ１３８において、移動局ＵＥのＡＳ機能は、ＣＳＦＢ機能を用いたＣＳ呼の発信を規制すると判定する。
【００９３】
ステップＳ１３９において、移動局ＵＥのＡＳ機能は、ＳＩＢ２に含まれる「ａｃ-ＢａｒｒｉｎｇＦｏｒＭＯ-Ｄａｔａ」が設定されているか否かについて判定する。
【００９４】
ステップＳ１３９において、「Ｙｅｓ」であると判定された場合、本動作は、ステップＳ１４０に進み、「Ｎｏ」であると判定された場合、本動作は、ステップＳ１４４に進む。
【００９５】
ステップＳ１４０において、移動局ＵＥのＡＳ機能は、移動局ＵＥのアクセスクラスが、「ＡＣ１１」〜「ＡＣ１５」のいずれかに該当するか否かについて判定する。
【００９６】
ステップＳ１４０において、「Ｙｅｓ」であると判定された場合、本動作は、ステップＳ１４１に進み、「Ｎｏ」であると判定された場合、本動作は、ステップＳ１４２に進む。
【００９７】
ステップＳ１４１において、移動局ＵＥのＡＳ機能は、「ａｃ-ＢａｒｒｉｎｇＦｏｒＭＯ-Ｄａｔａ」内の「ａｃ-ＢａｒｒｉｎｇＦｏｒＳｐｅｃｉａｌＡＣ」を参照して、移動局ＵＥが対応しているアクセスクラス（ＡＣ１１〜ＡＣ１５のいずれか）に対してアクセスが許可されているか否かについて判定する。
【００９８】
ステップＳ１４１において、「Ｎｏ」であると判定された場合、本動作は、ステップＳ１４４に進み、「Ｙｅｓ」であると判定された場合、本動作は、ステップＳ１４２に進む。
【００９９】
ステップＳ１４２において、移動局ＵＥのＡＳ機能は、移動局ＵＥにおいて生成された乱数ｒａｎｄが、「ａｃ-ＢａｒｒｉｎｇＦｏｒＭＯ-Ｄａｔａ」内の「ａｃ-ＢａｒｒｉｎｇＦａｃｔｏｒ」に設定されている値ＡＢＦ１よりも小さいか否かについて判定する。
【０１００】
ステップＳ１４２において、「Ｙｅｓ」であると判定された場合、本動作は、ステップＳ１４４に進み、「Ｎｏ」であると判定された場合、本動作は、ステップＳ１４３に進む。
【０１０１】
ステップＳ１４３において、移動局ＵＥのＡＳ機能は、タイマＴ３０６を起動する。例えば、移動局ＵＥのＡＳ機能は、「（０.７＋０.６×ｒａｎｄ）×（「ａｃ-ＢａｒｒｉｎｇＦｏｒＭＯ-Ｄａｔａ」内の「ａｃ-ＢａｒｒｉｎｇＴｉｍｅ」に設定されている値）」によって算出される値を、タイマＴ３０６に設定する。
【０１０２】
移動局ＵＥのＡＳ機能は、ステップＳ１４４において、ＣＳＦＢ機能を用いたＣＳ呼の発信を規制しないと判定し、ステップＳ１４５において、移動局ＵＥのＡＳ機能は、ＣＳＦＢ機能を用いたＣＳ呼の発信を規制すると判定する。
【０１０３】
本発明の第１の実施形態に係る移動通信システムによれば、ＬＴＥのＲｅｌｅａｓｅ-１０方式に対応可能な移動局ＵＥによって受信可能な情報要素である「ａｃ-ＢａｒｒｉｎｇＦｏｒＣＳＦＢ-ｒ１０」を用いて、ＣＳＦＢ機能を用いたＣＳ呼の発信を規制することができる。
【０１０４】
以上に述べた本実施形態の特徴は、以下のように表現されていてもよい。
【０１０５】
本実施形態の第１の特徴は、ＣＳＦＢ機能（回線交換切り替え機能）を用いて、Ｅ-ＵＴＲＡＮ（パケット交換をサポートしており回線交換をサポートしていない第１無線アクセスネットワーク）に在圏している場合に、ＵＴＲＡＮ/ＧＥＲＡＮ（パケット交換及び回線交換をサポートしている第２無線アクセスネットワーク）を介して回線交換通信を行うことができるように構成されている移動局ＵＥであって、Ｅ-ＵＴＲＡＮにおいて、ＳＩＢ２（報知情報）を受信するように構成されている報知情報受信部２１と、ＳＩＢ２に含まれている情報要素に基づいて、Ｅ-ＵＴＲＡＮにおける所定の規制処理を行うように構成されている規制処理部２２とを具備しており、規制処理部２２は、上述の情報要素のうち、「ａｃ-ＢａｒｒｉｎｇＦｏｒＣＳＦＢ-ｒ１０（ＣＳＦＢ機能を用いた回線交換呼の発信に対する規制用の第１情報要素）」及び「ａｃ-ＢａｒｒｉｎｇＦｏｒＭＯ-Ｄａｔａ（通常のパケット交換呼の発信に対する規制用の第２情報要素）」に基づいて、ＣＳＦＢ機能を用いたＣＳ呼の発信に対する規制処理を行うように構成されていることを要旨とする。
【０１０６】
本実施形態の第１の特徴において、規制処理部２２は、ＳＩＢ２に、「ａｃ-ＢａｒｒｉｎｇＦｏｒＣＳＦＢ-ｒ１０」が含まれている場合、「ａｃ-ＢａｒｒｉｎｇＦｏｒＣＳＦＢ-ｒ１０」に基づいて、ＣＳＦＢ機能を用いたＣＳ呼の発信に対する規制処理を行うように構成されており、規制処理部２２は、ＳＩＢ２に、「ａｃ-ＢａｒｒｉｎｇＦｏｒＣＳＦＢ-ｒ１０」が含まれておらず、「ａｃ-ＢａｒｒｉｎｇＦｏｒＭＯ-Ｄａｔａ」が含まれている場合、「ａｃ-ＢａｒｒｉｎｇＦｏｒＭＯ-Ｄａｔａ」に基づいて、ＣＳＦＢ機能を用いたＣＳ呼の発信に対する規制処理を行うように構成されていてもよい。
【０１０７】
本実施形態の第１の特徴において、規制処理部２２は、「ａｃ-ＢａｒｒｉｎｇＦｏｒＣＳＦＢ-ｒ１０」に「ｂａｒｒｉｎｇ」が設定されていた場合、ＣＳＦＢ機能を用いたＣＳ呼の発信を規制するように構成されており、規制処理部２２は、「ａｃ-ＢａｒｒｉｎｇＦｏｒＣＳＦＢ-ｒ１０」に「ｎｏ-Ｂａｒｒｉｎｇ」が設定されていた場合、或いは、「ａｃ-ＢａｒｒｉｎｇＦｏｒＣＳＦＢ-ｒ１０」に何も設定されていない場合、ＣＳＦＢ機能を用いたＣＳ呼の発信を規制しないように構成されていてもよい。
【０１０８】
本実施形態の第２の特徴は、Ｅ-ＵＴＲＡＮに在圏している移動局ＵＥが、ＣＳＦＢ機能を用いて、ＵＴＲＡＮを介して回線交換通信を行うことができるように構成されている移動通信システムにおいて、Ｅ-ＵＴＲＡＮ内に設けられている無線基地局ｅＮＢであって、ＳＩＢ２を送信するように構成されている報知情報送信部１２を具備しており、報知情報送信部１２は、Ｒｅｌｅａｓｅ-８/９（第１リリース）に対応可能な移動局ＵＥによって受信可能な情報要素として、「ａｃ-ＢａｒｒｉｎｇＦｏｒＥｍｅｒｇｅｎｃｙ（緊急呼の発信に対する規制用の情報要素）」、「ａｃ-ＢａｒｒｉｎｇＦｏｒＭＯ-Ｓｉｇｎａｌｌｉｎｇ（シグナリング呼の発信に対する規制用の情報要素）」及び「ａｃ-ＢａｒｒｉｎｇＦｏｒＭＯ-Ｄａｔａ（通常のパケット交換呼の発信に対する規制用の情報要素）」を、ＳＩＢ２に含めるように構成されており、報知情報送信部１２は、Ｒｅｌｅａｓｅ-８/９よりも新しいＲｅｌｅａｓｅ-１０（第２リリース）に対応可能な移動局ＵＥによって受信可能な情報要素として、「ａｃ-ＢａｒｒｉｎｇＦｏｒＣＳＦＢ-ｒ１０（回線交換切り替え機能を用いた回線交換呼に対する規制用の情報要素）」を、ＳＩＢ２に含めるように構成されていることを要旨とする。
【０１０９】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【０１１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１１２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１３】
ｅＮＢ…無線基地局
ＵＥ…移動局
１１、２２…規制処理部
１２…報知情報送信部
２１…報知情報受信部
【図１】
2012004683.tif 000003
【図２】
2012004683.tif 000004
【図３】
2012004683.tif 000005
【図４】
2012004683.tif 000006
【図５】
2012004683.tif 000007
【図６】
2012004683.tif 000008
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
回線交換切り替え機能を用いて、パケット交換をサポートしており回線交換をサポートしていない第１無線アクセスネットワークに在圏している場合に、パケット交換及び回線交換をサポートしている第２無線アクセスネットワークを介して回線交換通信を行うことができるように構成されている移動局であって、
前記第１無線アクセスネットワークにおいて、報知情報を受信するように構成されている報知情報受信部と、
前記報知情報に含まれている情報要素に基づいて、前記第１無線アクセスネットワークにおける所定の規制処理を行うように構成されている規制処理部とを具備しており、
前記規制処理部は、前記情報要素のうち、前記回線交換切り替え機能を用いた回線交換呼の発信に対する規制用の第１情報要素及び通常のパケット交換呼の発信に対する規制用の第２情報要素に基づいて、前記回線交換切り替え機能を用いた回線交換呼の発信に対する規制処理を行うように構成されていることを特徴とする移動局。
【請求項２】
前記規制処理部は、前記報知情報に、前記第１情報要素が含まれている場合、該第１情報要素に基づいて、前記回線交換切り替え機能を用いた回線交換呼の発信に対する規制処理を行うように構成されており、
前記規制処理部は、前記報知情報に、前記第１情報要素が含まれておらず、前記第２情報要素が含まれている場合、該第２情報要素に基づいて、前記回線交換切り替え機能を用いた回線交換呼の発信に対する規制処理を行うように構成されていることを特徴とする請求項１に記載の移動局。
【請求項３】
パケット交換をサポートしており回線交換をサポートしていない第１無線アクセスネットワークに在圏している移動局が、回線交換切り替え機能を用いて、パケット交換及び回線交換をサポートしている第２無線アクセスネットワークを介して回線交換通信を行うことができるように構成されている移動通信システムにおいて、該第１無線アクセスネットワーク内に設けられている無線基地局であって、
報知情報を送信するように構成されている報知情報送信部を具備しており、
前記報知情報送信部は、第１リリースに対応可能な移動局によって受信可能な情報要素として、緊急呼の発信に対する規制用の情報要素、シグナリング呼の発信に対する規制用の情報要素及び通常のパケット交換呼の発信に対する規制用の情報要素を、前記報知情報に含めるように構成されており、
前記報知情報送信部は、前記第１リリースよりも新しい第２リリースに対応可能な移動局によって受信可能な情報要素として、前記回線交換切り替え機能を用いた回線交換呼に対する規制用の情報要素を、前記報知情報に含めるように構成されていることを特徴とする無線基地局。